(57)【特許請求の範囲】
【請求項１】
法面の途中に小段が形成され、前記小段に、互いに対向する２面の内壁を有する排水溝が設けられた傾斜面での作業における命綱の係留具であって、前記排水溝の下部法面側の内壁に接触する垂直板部と前記下部法面側の内壁に続く水平面に接触する水平板部とを有する基枠と、前記基枠の前記垂直板部の中途部に基端部が固着され、前記水平板部とは反対方向に垂直に立設されたネジ棒と、前記ネジ棒の先端部にネジ棒の長手方向に沿って移動可能に取り付けられた前記垂直板部とほぼ平行な可動板と、前記ネジ棒に螺合して前記可動板を前記排水溝の上部法面側の内壁に圧着させるハンドルと、前記基枠の前記水平板部に固定され前記命綱の端部を係留する係留部とを備え、作業員の落下時に前記命綱に掛かる荷重が、前記係留部を介して前記水平板部に平行で、前記垂直板部が接触している排水溝の下部法面側の内壁に垂直に作用する構成としたことを特徴とする、法面作業用命綱の係留具。
【発明の詳細な説明】
【技術分野】
【０００１】
本発明は、山間部や海岸線に敷設される道路の片側または両側の法面における作業の安全を確保する命綱の先端を留める係留具に関する。
【背景技術】
【０００２】
山や崖を切り開いて高速道路やバイパス等の自動車用道路を敷設する場合、道路の片側または両側に、法面が形成されることが多い。法面には落石や崩壊を防ぐために、擁壁ブロックを組んだり、モルタルで塗装したり、金網を張ったりして、法面の保護をしている。
【０００３】
長大な法面の下部では表面水の流量・流速が増加するために、単一勾配ではなく途中に小段を設けることが推奨されている。その小段には、表面水を法面の外へ排水することを目的として、排水溝が設けられる。この小段や排水溝には、気象や災害によって法面上部の折れた樹木や、崩落した岩が溜まる場合がある。また、秋には枯れ葉なども溜まる。そこで、法面途中の小段で清掃作業を行う必要がある。
【０００４】
ところが、小段の幅は１．５ｍ程度であり、清掃の方法によっては排水溝の外側を足場とする場合があり、踏み外すと数ｍ下に落下するので危険である。そのため、命綱を安全ベルトにつなぎ、先端をどこか適当な場所に係留して作業をする必要があるが、必ずしも適当な係留箇所が法面にあるとは限らない。
【０００５】
このような高所での作業に、命綱を係留する装置や器具が色々提案されている。
特許文献１には、鉄道レールに容易に設置でき、且つ命綱の固定場所を容易に変更することを可能とするために、レールの長手方向に対して直交方向にレールのベース部の外側に嵌め込まれる嵌め込み部を有する挟持部本体と、該挟持部本体に離接近自在に連結固定され、レールのベース部の下方を通ってその内側に引掛ける引掛部を有する移動挟持部と、前記挟持部本体に上方へ突出するように設けられた支持棒と、該支持棒に上方から差し込み引抜き自在で且つ外側に命綱取付部を有する中空鋼管からなる命棒とを備えた命綱取付具が記載されている。
【０００６】
特許文献２には、ゴンドラの設置されていない建物の高所で働く作業者が装着する安全ベルトを、安全確実且つ簡便に結合固定できる、落下防止用安全装置を提供することを目的とする安全装置が記載されている。これは、“コの字型”に形成され、建物ごとに異なっている窓枠の腰壁の厚さに応じて螺旋状ネジ等を使い、窓枠の腰壁に固定できるようにした、取り付け調整機構を備えたフレームであって、前記フレームの一端に、フック取り付け用孔を有したプレートが溶接されていて、高所作業者が落下防止のために装着する安全ベルトのロープ先端のフックを、前記フック取り付け用孔を有したプレートに結合することにより、高所作業者が装着している安全ベルトを窓枠の腰壁に結合固定して、落下防止をする機構となっている。
【０００７】
特許文献３には、建物の建設現場等において柱等の安全ロープを結束する部材がない個所にも安全ロープを自由に張ることを目的として、保持具本体と、保持具本体の下端部に形成され鉄骨等の固定された部材に嵌合する嵌合部と、前記嵌合部に備えられ締めることによって先端部が鉄骨等の固定された部材に圧接する固定ボルトと、前記保持具本体に設けられ安全ロープを保持するロープ保持部とを具備する高所作業用の安全ロープ保持具において、前記ロープ保持部は、前記安全ロープを所定方向側から接触させる少なくとも２個所に設けられたロープ接触部と、前記少なくとも２個所に設けられたロープ接触部の間に設けられたピンとによって構成されている高所作業用の安全ロープ保持具が記載されている。
【０００８】
【特許文献１】特開２００４−２１５９６０号公報
【特許文献２】実開平６−６６７１３号公報
【特許文献３】特開平８−２５７１５１号公報
【発明の開示】
【発明が解決しようとする課題】
【０００９】
しかしながら、前掲の特許文献１に記載された命綱取付具では、鉄道レールという特定の構造物が存在することを前提としており、道路側部の法面には適用できない。
また、特許文献２に記載された安全装置では、窓枠の腰壁というコの字型のフレームを引っ掛けることのできる箇所を有することが必要であり、法面には適用できない。
さらに、特許文献３に記載された安全ロープ保持具は、鉄骨等の構造物に取り付けるものであり、そのような構造物がない法面には取り付けることができない。
そこで本発明は、小段および排水溝を有する法面における作業を、安全に行うことのできる法面作業用命綱の係留具を提供することを目的とする。
【課題を解決するための手段】
【００１０】
前記課題を解決するため、本発明の法面作業用命綱の係留具は、法面の途中に小段が形成され、前記小段に排水溝が設けられた傾斜面での作業のためのものである。その機構は、前記排水溝の一方の内壁に接触する垂直板部と、前記内壁に続く水平面に接触する水平板部とを有する基枠と、前記基枠の前記垂直板部の中途部に基端部が固着され前記水平板部とは反対方向に垂直に立設されたネジ棒と、前記ネジ棒の先端部にネジ棒の長手方向に沿って移動可能に取り付けられ、前記垂直板部とほぼ平行な可動板と、前記ネジ棒に螺合して前記可動板を前記排水溝の他方の内壁に圧着させるハンドルと、前記基枠に固定され、前記命綱の端部を係留する係留部とを備えたことを特徴とする。
【００１１】
本発明においては、法面で作業する場合、ハンドルを操作して垂直板部と可動板との間隔を排水溝の幅よりも短くしておき、基枠の垂直板部と水平板部が排水溝の内壁とそれに続く水平面の肩部に位置するようにセットする。次いでハンドルを回して、ネジ棒の先端の可動板が排水溝の他方の内壁に接するように移動させ、ハンドルを強く回して、可動板が内壁に強く圧着するようにする。これにより、係留具は排水溝に固定されることになる。作業者は、安全ベルトに取り付けた命綱の先端金具を、係留部につないで作業をする。これにより、作業者は安全に法面での作業を行うことができる。万一、作業者が小段から足を踏み外しても、命綱の端部が係留具の係留部に固定されているため、命綱の長さで落下が防止され、更に下方に落下する事故を防ぐことができる。
【発明の効果】
【００１２】
本発明は、法面の途中に小段が形成され、前記小段に排水溝が設けられた傾斜面での作業における命綱の係留具であって、排水溝の一方の内壁に接触する垂直板部と内壁に続く水平面に接触する水平板部とを有する基枠と、基枠の垂直板部の中途部に基端部が固着され水平板部とは反対方向に垂直に立設されたネジ棒と、ネジ棒の先端部にネジ棒の長手方向に沿って移動可能に取り付けられた垂直板部とほぼ平行な可動板と、ネジ棒に螺合して可動板を排水溝の他方の内壁に圧着させるハンドルと、基枠に固定され命綱の端部を係留する係留部とを備えたことにより、小段および排水溝を有する法面における作業を安全に行うことができる。
【発明を実施するための最良の形態】
【００１３】
以下、本発明の実施の形態を、図面を用いて説明する。図１は本発明の実施の形態に係る法面作業用命綱の係留具を示す斜視図、図２はその使用状態を示す側面図である。
図１および図２において、本実施の形態に係る法面作業用命綱の係留具（以下、単に「係留具」という。）は、排水溝１０の一方の内壁１０ａに接触する垂直板部１ａと内壁１０ａに続く水平面１０ｃに接触する水平板部１ｂとを有する基枠１と、基枠１の垂直板部１ａの中途部に基端部が固着され水平板部１ｂとは反対方向に垂直に立設されたネジ棒２と、ネジ棒２の先端部にネジ棒２の長手方向に沿って移動可能に取り付けられた垂直板部１ａとほぼ平行な可動板３と、ネジ棒２に螺合して可動板３を排水溝１０の他方の内壁１０ｂに圧着させるハンドル４と、基枠１に連設された固定板１ｃに固定され、命綱６の端部のフック部７を係留する係留部５とを有している。
【００１４】
本実施の形態の係留具は、鉄またはアルミニウム合金などの強度の大きい材料で作られ、垂直板部１ａと水平板部１ｂは一枚の板材の折り曲げ加工、または溶接でＬ字状に形成される。水平板部１ｂと固定板１ｃとは溶接等で固定され、さらに固定板１ｃに、溶接等で係留部５が固定される。垂直板部１ａとネジ棒２の基端部とは溶接で固定され、ネジ棒２の他端部に、筒部３ａを有する可動板３を嵌合している。ネジ棒２と筒部３ａは、ネジ棒２の長手方向に移動自在である。ネジ棒２には、雌ネジを内周に有するリング４ａがねじ込んであり、リング４ａの外周に取り付けられたハンドル４を回すことにより、ハンドル４はネジ棒２の長手方向に移動できる。ハンドル４を回して、リング４ａが可動板３の筒部３ａを外側に押すようにすることによって、可動板３は排水溝１０の他方の内壁１０ｂを押し付けるとともに、その反作用によって垂直板部１ａも内壁１０ａを押し付け、その摩擦抵抗により係留具は排水溝１０に固定される。
【００１５】
図２に示すように、排水溝１０は、上部の法面２０と下部の法面２１との間に形成された小段２２に設けられている。この小段２２や排水溝１０に落ちた土砂や石、枝、枯葉等を清掃する作業を行う際、作業員は排水溝１０に係留具を取り付け、係留部５に安全ベルトにつないだ命綱６の先端のフック部７を係留して作業をすることにより、小段２２や排水溝１０の縁を足場とする作業の安全性を確保することができる。
【００１６】
ここで、排水溝１０の上部法面２０側ではなく、下部法面２１側の肩部に、基枠１の垂直板部１ａと水平板部１ｂの内側が面するように、係留具を固定する。この向きで係留具を固定することにより、作業員が下部法面２１側に落下したとき、命綱６のフック部７に掛かる重量が固定板１ｃを引っ張る方向に掛かり、その力を排水溝１０の肩部が支えることになる。基枠１を排水溝１０の反対側に取り付けると、作業員が下部法面２１側に落下したとき、命綱６のフック部７に掛かる重量が固定板１ｃを垂直板部１ａ側に掛かり、その力は排水溝１０の肩部から引き離す方向に作用するので、安全性が低下する。
【００１７】
なお、本実施の形態では、命綱６の先端のフック部７を係留する係留部５を、水平板部１ｂに固着した固定板１ｃに固定した例を示したが、これに限らず、水平板部１ｂに突起と穴を形成してその穴にフック部７を係留する等、他の構成とすることもできる。
【産業上の利用可能性】
【００１８】
本発明は、小段および排水溝を有する法面における作業を安全に行うことのできる法面作業用命綱の係留具であり、高速道路等の法面のメンテナンス作業等に好適に利用することができる。
【図面の簡単な説明】
【００１９】
【図１】本発明の実施の形態に係る法面作業用命綱の係留具を示す斜視図である。
【図２】本発明の実施の形態に係る法面作業用命綱の使用状態を示す側面図である。
【符号の説明】
【００２０】
１  基枠
１ａ  垂直板部
１ｂ  水平板部
１ｃ  固定板
２  ネジ棒
３  可動板
３ａ  筒部
４  ハンドル
４ａリング
５  係留部
６  命綱
７  フック部
１０  排水溝
１０ａ，１０ｂ  内壁
１０ｃ  水平面
２０  上部法面
２１  下部法面
２２  小段
【図１】
0005094375.tif 000002
【図２】
0005094375.tif 000003